(57)【要約】【課題】カーテン１３が開かれて形成される襞溜りを室内空間に露出させず、さらに、装置本体もカーテン１３と同様に、建物における窓枠取付開口部Ｐに連接された壁内空間Ｑに配置されて室内空間に露出しないカーテン収納装置を提供する。【解決手段】建物の窓枠取付開口部Ｐの左右のどちらか一方または双方に連接された壁内空間Ｑに組み込まれて使用されるものであって、天板２１と、天板２１に設けられた前後に対向する一対の側板２２とからなる本体を有し、天板２１および一対の側板２２によって内側空間Ｒが画成されるとともに、窓枠取付開口部Ｐに臨む側端開口２７が形成されており、さらに、本体に取付けられ、かつ内側空間Ｒに配置されたレール取付部２５と、本体に設けられ、本体を窓枠１１に連結するための窓枠連結部２６とを有するカーテン収納装置とする。【選択図】図１
2007195716.tif 000002
【特許請求の範囲】
【請求項１】
建物の窓枠取付開口部において、前記窓枠取付開口部の左右のどちらか一方または双方に連接された壁内空間に組み込まれて使用されるものであって、天板と、前記天板に設けられた前後に対向する一対の側板とからなる本体を有し、前記天板および前記一対の側板によって内側空間が画成されるとともに、前記窓枠取付開口部に臨む側端開口が形成されており、さらに、前記本体に取付けられ、かつ前記内側空間内に配置されたレール取付部と、前記本体に設けられ、前記本体を窓枠に連結するための窓枠連結部とを有することを特徴とするカーテン収納装置
【請求項２】
前記内側空間内において前記一対の側板間に延びるとともに、両端部がそれぞれ関係する前記側板に取付けられた挿入板をさらに有しており、前記レール取付部が前記挿入板に設けられていることを特徴とする前掲請求項１に記載のカーテン収納装置
【請求項３】
前記挿入板が前記側板に高さ調節可能に取付けられていることを特徴とする前掲請求項２に記載のカーテン収納装置
【請求項４】
前記窓枠連結部を介して前記窓枠と連結されるとき、前記窓枠の一部であり、前記本体に連結される側枠に前記レール取付部に取付けられたカーテンレールおよび前記カーテンレールに吊下げられたカーテンが通過する貫通口が設けられることを特徴とする前掲請求項１〜前掲請求項３のいずれかに記載のカーテン収納装置
【請求項５】
前記側端開口を開閉する遮蔽材がさらに設けられていることを特徴とする前掲請求項１〜前掲請求項４のいずれかに記載のカーテン収納装置
【発明の詳細な説明】
【技術分野】
【０００１】
カーテンは、開閉使用形式によって、昇降コードによってたくし上げるローマンシエード、シリンダーに巻き上げるロールスクリーン、上縁が窓枠に固定されて不動のスタイルカーテン、上縁がカーテンレールに沿って移動する横開きカーテンに大別される。本発明は、建物の窓枠取付開口部において使用され、横開きカーテンを開いてできる襞溜りを内部空間に隠蔽するカーテン収納装置に関するものである。以下、本明細書では、特に断らない限りにおいては、カーテンとは横開きカーテンを指すものとする。
【背景技術】
【０００２】
カーテンは、ドレープ、レース、ボイル、暗幕等の中から色柄・機能性・価格・用途等に応じて使用する生地の種類が自由に選ばれ、カーテンフックによってカーテンレールに沿って走行するランナーに吊り下げて使用され、カーテンが開かれると、カーテンレールの側端において襞溜りが形成される。こうしてカーテンレールの側端に形成された襞溜りは、必要に応じてタッセルによって収束されるにしても、それ自体が乱雑な外観を呈し、窓枠取付開口部の開口面積を小さくさせることで室内空間に圧迫感を与える。さらに、襞溜りが収束されない場合には、窓から入ってくる風にカーテンが靡くことによって室内の静寂さを阻害することにもなる。
【０００３】
こうした状況の中で、襞溜りの収束性を改良する技術として、カーテンにプリーツを形成する方法（例えば、特許文献１参照）、アコーディオン式カーテンにする方法（例えば、特許文献２参照）、さらに、本発明者によるカーテンフックの形態を改善する方法（例えば、特許文献３参照）について開示されている。
【０００４】
しかしながら、上記のいずれの方法によっても、カーテン生地の種類、形態、縫製方法等が限定的になり、自由なコーディネートを楽しめない煩わしさが伴い、また、上記のいずれの方法によっても、形成される襞溜りがコンパクトに抑えられるという一定の効果は期待できるものの、それが視界から完全に消えてなくなる訳ではなく、未だ不十分である。
【０００５】
【特許文献１】特開昭５８-１３８８８８
【特許文献２】特開平５−１００７３
【特許文献３】特開２００４−０００３５０
【発明の開示】
【発明が解決しようとする課題】
【０００６】
本発明は、上記問題点に鑑みてなされたもので、カーテン生地の種類、形態、縫製方法等における自由な選択を妨げることなく、カーテンが開かれて形成される襞溜りを室内空間に露出させず、さらに、装置本体もカーテンと同様に、建物における窓枠取付開口部に連接された壁内空間に配置されて室内空間に露出しないカーテン収納装置を提供することを目的とする。
【課題を解決するための手段】
【０００７】
本発明に係るカーテン収納装置は、建物の窓枠取付開口部において、前記窓枠取付開口部の左右のどちらか一方または双方に連接された壁内空間に組み込まれて使用されるものであって、天板と、前記天板に設けられた前後に対向する一対の側板とからなる本体を有し、前記天板および前記一対の側板によって内側空間が画成されるとともに、前記窓枠取付開口部に臨む側端開口が形成されており、さらに、前記本体に取付けられ、かつ前記内側空間内に配置されたレール取付部と、前記本体に設けられ、前記本体を窓枠に連結するための窓枠連結部とを有することを第１の特徴とする。
【０００８】
さらに、本発明に係るカーテン収納装置は、上記第１の特徴に加えて、前記内側空間内において前記一対の側板間に延びるとともに、両端部がそれぞれ関係する前記側板に取付けられた挿入板をさらに有しており、前記レール取付部が前記挿入板に設けられていることを第２の特徴とする。
【０００９】
さらに、本発明に係るカーテン収納装置は、上記第２の特徴に加えて、前記挿入板が前記側板に対して高さ調節可能に取付けられていることを第３の特徴とする。
【００１０】
さらに、本発明に係るカーテン収納装置は、上記第１〜第３の特徴に加えて、前記窓枠連結部を介して前記窓枠と連結されるとき、前記窓枠の一部であり、前記本体に連結される側枠に前記レール取付部に取付けられたカーテンレールおよび前記カーテンレールに吊下げられたカーテンが通過する貫通口が設けられることを第４の特徴とする。
【００１１】
さらに、本発明に係るカーテン収納装置は、上記第１〜第４の特徴に加えて、前記側端開口を開閉する遮蔽材が設けられていることを第５の特徴とする。
【発明の効果】
【００１２】
本発明に係るカーテン収納装置によれば、カーテンが開かれて形成される襞溜りが視界から完全に消えてなくなることで、室内の開放感が得られるとともに、外景を広く眺望できる、室内の換気性が良くなる等、窓枠取付開口部を広く活用することができる。さらに、装置自体も室内空間に露出しないので、上記の効果がより一層大きなものとなる。
【発明を実施するための最良の形態】
【００１３】
本発明に係るカーテン収納装置の実施の一形態を図１〜図３に基づいて説明する。まず、カーテン収納装置２０は、建物における窓枠取付開口部Ｐの左右に連接される壁内空間Ｑに組み込まれて使用されるものである。ここでいう壁内空間Ｑとは、内壁の壁面構成材１２ａと外壁の壁面構成材１２ｂとの間に挟まれて規定される空間のことを指す。
【００１４】
次に、カーテン収納装置２０の構造について説明する。カーテン収納装置２０は、天板２１と天板２１に設けられた前後に対向する一対の側板２２ａ・２２ｂから構成された断面略コの字形を成しており、天板２１の下方には、天板２１と一対の側板２２ａ・２２ｂによって内側空間Ｒが画成されている。また、天板２１と一対の側板２２ａ・２２ｂで形成されるコの字形の端面のうちの一方の端面には、窓枠取付開口部Ｐに臨む側端開口２７が形成され、さらに、窓枠連結部２６として固定用ビス孔が設けられる。固定用ビス孔は、窓枠１１と連結する場合にカーテン収納装置２０の高さを微調整できるように溝状に設けられることが好ましい。さらに、一方の端面には、簾や、スクリーンや、シェード類等から選ばれる開閉自在な遮蔽材が取付けられ、内側空間Ｒを遮蔽できるようにしても良い。また、他方の端面は、必要に応じて、板状物などで閉じられていても構わない。
【００１５】
また、カーテン収納装置２０の内側空間Ｒにおいて、一対の側板２２ａ・２２ｂの間には挿入板２３が延設されており、一対の側板２２ａ・２２ｂには、挿入板固定部２４として前後一対の固定用ピン孔が設けられており、挿入板固定手段として、側板２２ａ・２２ｂに設けられた前後一対のピン孔にそれぞれ固定用ピンを挿し込むことによって、挿入板２３は水平な状態で固定される。さらに、挿入板高さ調整手段として、前後一対の固定用ピン孔が高さ方向に複数の組で設けられることによって、挿入板２３の高さ位置を調節可能となっている。ここでいう挿入板固定手段、或いは、挿入板高さ調整手段としては、これらに限定されるものではなく、挿入板２３が水平な状態で取付けでき、その高さ位置を適宜調整できるものであれば、いずれの方法であっても良い。さらに、挿入板２３の下に向かう面には、レール取付部２５として、取付けられるカーテンレール１４の長さ方向に固定用ビス孔が適当な間隔で並設されており、カーテンレール１４或いはカーテンレール１４に接合されるブラケット類を取付可能になっている。ここでいうレール取付部２５としては、これに限定されるものではなく、カーテンレール１４或いはカーテンレール１４に接合されるブラケット類を確実に固定できる方法に適していれば、いずれの形態であっても良い。このとき内側空間Ｒは、カーテンレール１４に吊下げられるカーテン１３を収納できる空間となるように、天板２１と一対の側板２２ａ・２２ｂによって画成されていればよい。
【００１６】
次に、カーテン収納装置２０と窓枠１１との連結方法について説明する。カーテン収納装置２０は、壁内空間Ｑに配置され、窓枠連結部２６によって窓枠１１の右側枠１１ｃとビス締めされてカーテン収納装置−窓枠連結体３０が形成される。このとき、カーテン収納装置２０の内側空間Ｒにおいて、挿入板２３が、挿入板高さ調整手段によって、挿入板の高さ位置を窓枠１１の上側枠１１ａと同じ高さになるように調整されて、水平な状態で固定される。さらに、窓枠１１の右側枠１１ｃにおけるカーテン収納装置２０に臨む位置には貫通口３１が設けられ、窓枠１１の上側枠１１ａ下方域と挿入板２３に設けられたレール取付部２５には連続したカーテンレール１４が取付けられ、カーテンレール１４及びカーテンレール１４に吊り下げられるカーテン１３が窓枠取付開口部Ｐとカーテン収納装置２０に設けられた内側空間Ｒとの間を往復摺動可能になっている。カーテンレール14は、窓枠取付開口部Pにおいて、窓枠11の上側枠１１a下方域で部分的にビス？などの手段で固定しても良く、または、固定しなくても良い。後者のほうが固定部が視界から消える点で見栄えが良い。さらに、カーテン１３が左右両開きの場合においても同様の方法によって、窓枠１１の左側枠１１ｂにおいて、カーテン収納装置２０と窓枠１１との連結が可能となる。
【００１７】
このようにして連結されたカーテン収納装置−窓枠連結体３０では、カーテン収納装置２０が室内空間に露出せず、さらに、カーテン１３が開かれて形成される襞溜りがカーテン収納装置２０の内側空間Ｒに収納されることによって、それらが視界から完全に消えてなくなることになる。
【図面の簡単な説明】
【００１８】
【図１】本発明に係るカーテン収納装置を示す斜視図である。図１−Ａは、カーテンを内部空間に収納した状態を示し、図１−Ｂは、カーテンを収納していない状態を示す。
【図２】本発明に係るカーテン収納装置を利用した時の窓枠取付開口部の周辺を示す斜視図であり、カーテンを使用していない状態を示す。
【図３】本発明に係るカーテン収納装置を利用した時の窓枠取付開口部の周辺を示す斜視図であり、カーテンを使用し、内壁の壁面構成材を外した状態を示す。
【符号の説明】
【００１９】
１１：窓枠（１１ａ：上側枠、１１ｂ：左側枠、１１ｃ：右側枠）
１２：壁面構成材（１２ａ：内壁の壁面構成材、１２ｂ：外壁の壁面構成材）
１３：カーテン
１４：カーテンレール
２０：カーテン収納装置
２１：天板
２２（２２ａ・２２ｂ）：側板
２３：挿入板
２４：挿入板固定部
２５：レール取付部
２６：窓枠連結部
２７：側端開口
３０：カーテンボックス−窓枠連結体
３１：貫通口
Ｐ：建物の窓枠取付開口部
Ｑ：壁内空間
Ｒ：カーテン収納装置の内側空間
【図１】
2007195716.tif 000003
【図２】
2007195716.tif 000004
【図３】
2007195716.tif 000005
【手続補正書】
【提出日】平成19年3月16日(2007.3.16)
【手続補正１】
【補正対象書類名】明細書
【補正対象項目名】００１６
【補正方法】変更
【補正の内容】
【００１６】
次に、カーテン収納装置２０と窓枠１１との連結方法について説明する。カーテン収納装置２０は、壁内空間Ｑに配置され、窓枠連結部２６によって窓枠１１の右側枠１１ｃとビス締めされてカーテン収納装置−窓枠連結体３０が形成される。このとき、カーテン収納装置２０の内側空間Ｒにおいて、挿入板２３が、挿入板高さ調整手段によって、挿入板の高さ位置を窓枠１１の上側枠１１ａと同じ高さになるように調整されて、水平な状態で固定される。さらに、窓枠１１の右側枠１１ｃにおけるカーテン収納装置２０に臨む位置には貫通口３１が設けられ、窓枠１１の上側枠１１ａ下方域と挿入板２３に設けられたレール取付部２５には連続したカーテンレール１４が取付けられ、カーテンレール１４及びカーテンレール１４に吊り下げられるカーテン１３が窓枠取付開口部Ｐとカーテン収納装置２０に設けられた内側空間Ｒとの間を往復摺動可能になっている。カーテンレール14は、窓枠取付開口部Pにおいて、窓枠11の上側枠１１a下方域で部分的にビス締めなどの手段で固定しても良く、または、固定しなくても良い。後者のほうが固定部が視界から消える点で見栄えが良い。さらに、カーテン１３が左右両開きの場合においても同様の方法によって、窓枠１１の左側枠１１ｂにおいて、カーテン収納装置２０と窓枠１１との連結が可能となる。